(57)【要約】  【課題】  皮膚に対して優しく、かつ十分な梳かし効果が期待できる毛梳かし具。  【解決手段】複数の櫛歯を含む毛梳かし具であって、複数の外櫛歯と、隣り合う外櫛歯の間に配され、外櫛歯の先端より内側に先端が位置する長さで形成された内櫛歯と、を備えることを特徴とする毛梳かし具。【選択図】  図１
2018130145.tif 000002
【特許請求の範囲】
【請求項１】
複数の櫛歯を含む毛梳かし具であって、
複数の外櫛歯と、
隣り合う前記外櫛歯の間に配され、前記外櫛歯の先端より内側に先端が位置する長さで形成された内櫛歯と、
を備えることを特徴とする毛梳かし具。
【請求項２】
請求項１に記載の毛梳かし具であって、
隣り合う前記外櫛歯の先端の間の距離は、前記内櫛歯の先端を挟んでいる部分の外櫛歯の間の距離より広い
ことを特徴とする毛梳かし具。
【請求項３】
請求項１に記載の毛梳かし具であって、
隣り合う前記外櫛歯の先端の間の距離は、前記内櫛歯の先端を挟んでいる部分の外櫛歯の間の距離より狭い
ことを特徴とする毛梳かし具。
【請求項４】
請求項１〜３の何れか一項に記載の毛梳かし具であって、
前記外櫛歯及び前記内櫛歯は、両者の間隔が梳かし方向に対して徐々に狭まる形状を有している
ことを特徴とする毛梳かし具。
【請求項５】
請求項１〜４のいずれか一項に記載の毛梳かし具であって、
前記内櫛歯の先端の丸み半径は、梳かし方向、または、梳かし方向と直交する方向において
前記外櫛歯の先端の丸み半径より小さい
ことを特徴とする毛梳かし具。
【請求項６】
請求項１〜５のいずれか一項に記載の毛梳かし具であって、
前記内櫛歯の梳き方向の厚さは、前記外櫛歯の梳き方向の厚さより薄い
ことを特徴とする毛梳かし具。
【請求項７】
請求項１〜６のいずれか一項に記載の毛梳かし具であって、
前記櫛歯の並び方向の両端に、大外枠を有し
前記外櫛歯は前記大外枠の先端より内側に先端が位置する
ことを特徴とする毛梳かし具。
【請求項８】
請求項１〜７のいずれか一項に記載の毛梳かし具であって、
前記複数の外櫛歯を構成する本体櫛部と、
前記内櫛歯を構成する調整櫛部と、
を組み合わせて構成される
ことを特徴とする毛梳かし具。
【請求項９】
請求項８に記載の毛梳かし具であって、
前記調整櫛部は、前記本体櫛部から取り外し可能である
ことを特徴とする櫛。
【請求項１０】
請求項８又９に記載の毛梳かし具であって、
前記外櫛歯に対する前記内櫛歯の取付け位置を変更し、前記外櫛歯の先端の位置と前記内櫛歯の先端との間の距離を調節する調節機構を備える
ことを特徴とする毛梳かし具。
【請求項１１】
請求項８〜１０のいずれか一項に記載の毛梳かし具であって、
前記本体櫛部と前記調整櫛部とを組み合わせた部材を、複数組み合わせてブラシを構成している
ことを特徴とする毛梳かし具。
【請求項１２】
請求項１〜１１のいずれか一項に記載の毛梳かし具であって、
前記内櫛歯は、当該内櫛歯の先端付近が複数に分岐した形状からなる小櫛歯を備える
ことを特徴とする毛梳かし具。
【請求項１３】
請求項１２に記載の毛梳かし具であって、
前記小櫛歯同士の間隔は前記外櫛歯と前記内櫛歯との間隔よりも狭い
ことを特徴とする毛梳かし具。
【請求項１４】
請求項１２または１３に記載の毛梳かし具であって、
前記小櫛歯は、前記小櫛歯同士の間隔が梳かし方向に対して徐々に狭まる形状を有している
ことを特徴とする毛梳かし具。
【請求項１５】
請求項１２〜１４のいずれか一項に記載の毛梳かし具であって、
前記小櫛歯の先端の丸み半径は、梳かし方向、または、梳かし方向と直交する方向において前記外櫛歯の先端の丸み半径より小さい
ことを特徴とする毛梳かし具。
【請求項１６】
請求項１〜１５のいずれか一項に記載の毛梳かし具であって、
カーボンの粉、金属の粉、金属酸化物の粉、石の粉、またはガラス繊維を含む樹脂で形成されている
ことを特徴とする毛梳かし具。
【請求項１７】
請求項１〜１６のいずれか一項に記載の毛梳かし具であって、
バレル加工、またはブラスト加工が施されている
ことを特徴とする毛梳かし具。
【発明の詳細な説明】
【技術分野】
【０００１】
本発明は毛梳かし具に関する。
【背景技術】
【０００２】
従来、毛髪を梳かすための櫛として、複数の櫛歯を列設し、一端側の半分の櫛歯を太い径とし、他端側の半分の櫛歯を細い径とするとともに櫛歯間隔も狭くするものが開示されている（例えば、特許文献１（図１等））。
【先行技術文献】
【特許文献】
【０００３】
【特許文献１】実用新案登録第３１３２０２２号公報
【発明の概要】
【発明が解決しようとする課題】
【０００４】
櫛歯の間隔が広すぎると、毛が太い束となって通過するため、毛を磨くように梳かす効果は期待できない。一方で、櫛歯の間隔を狭くしようとすると、櫛歯が細くなり先端が尖るので、皮膚に接触したときに、痛みや引っ掻き傷となる恐れがある。このようなことから、皮膚に対して優しく、かつ十分な梳かし効果が期待できる櫛が無かった。また、毛が櫛歯の間に詰まりやすく掃除が大変であった。また、太さ、堅さや長さが異なる毛は混在する場合、ちょうど良い梳き具合の調整ができなかった。
【課題を解決するための手段】
【０００５】
本発明は、上記課題の少なくとも１つを解決するものであるが、その例を挙げるならば、次の通りである。すなわち、
複数の櫛歯を含む毛梳かし具であって、
複数の外櫛歯と、
隣り合う前記外櫛歯の間に配され、前記外櫛歯の先端より内側に先端が位置する長さで形成された内櫛歯と、
を備えることを特徴とする毛梳かし具である。
【０００６】
隣り合う前記外櫛歯の先端の間の距離は、前記内櫛歯の先端を挟んでいる部分の外櫛歯の間の距離より広いものであってもよい。
【０００７】
隣り合う前記外櫛歯の先端の間の距離は、前記内櫛歯の先端を挟んでいる部分の外櫛歯の間の距離より狭いものであってもよい。
【０００８】
前記外櫛歯及び前記内櫛歯は、両者の間隔が梳かし方向に対して徐々に狭まる形状を有していてもよい。
【０００９】
前記内櫛歯の先端の丸み半径は、梳かし方向、または、梳かし方向と直交する方向において前記外櫛歯の先端の丸み半径より小さくてもよい。
【００１０】
前記内櫛歯の梳かし方向の厚さは、前記外櫛歯の梳かし方向の厚さより薄くすることができる。
【００１１】
前記櫛歯の並び方向の両端に、大外枠を有し、前記外櫛歯は前記大外枠の先端より内側に先端が位置するようにしてもよい。
【００１２】
前記梳かし具は、前記複数の外櫛歯を構成する本体櫛部と、前記内櫛歯を構成する調整櫛部と、を組み合わせて構成されてもよい。
【００１３】
前記調整櫛部は、前記本体櫛部から取り外し可能であってもよい。
【００１４】
前記外櫛歯に対する前記内櫛歯の取付け位置を変更し、前記外櫛歯の先端の位置と前記内櫛歯の先端との間の距離を調節する調節機構を備えてもよい。
【００１５】
前記本体櫛部と前記調整櫛部とを組み合わせた部材を、複数組み合わせて、ブラシを構成していてもよい。
【００１６】
前記内櫛歯は、当該内櫛歯の先端付近が複数に分岐した形状からなる小櫛歯を備えてもよい。
【００１７】
前記小櫛歯同士の間隔は前記外櫛歯と前記内櫛歯との間隔よりも狭くてもよい。
【００１８】
前記小櫛歯は、前記小櫛歯同士の間隔が梳かし方向に対して徐々に狭まる形状を有していてもよい。
【００１９】
前記小櫛歯の先端の丸み半径は、梳かし方向、または、梳かし方向と直交する方向において前記外櫛歯の先端の丸み半径より小さくてもよい。
【００２０】
前記毛梳かし具は、カーボンの粉、金属の粉、または石の粉を含む樹脂で形成されていてもよい。
【００２１】
前記毛梳かし具は、バレル加工、またはブラスト加工が施されていてもよい。
【図面の簡単な説明】
【００２２】
【図１】実施形態１に係る櫛を説明するための図である。
【図２】実施形態１に係る櫛を説明するための図である。
【図３】実施形態２に係る櫛を説明するための図である。
【図４】実施形態３に係る櫛を説明するための図である。
【図５】実施形態３に係る櫛を説明するための図である。
【図６】実施形態３に係る櫛を説明するための図である。
【図７】実施形態４に係る櫛を説明するための図である。
【図８】実施形態４に係る櫛を説明するための図である。
【図９】実施形態４に係る櫛を説明するための図である。
【図１０】実施形態４に係る櫛を説明するための図である。
【図１１】実施形態４に係る櫛を説明するための図である。
【図１２】変形例に係る櫛を説明するための図である。
【図１３】実施形態５に係る櫛を説明するための図である。
【図１４】実施形態６に係る櫛を説明するための図である。
【図１５】実施形態７に係る櫛を説明するための図である。
【図１６】実施形態８に係る櫛を説明するための図である。
【図１７】実施形態８に係る櫛を説明するための図である。
【図１８】実施形態９に係る櫛を説明するための図である。
【図１９】実施形態１０に係る櫛を説明するための図である。
【図２０】実施形態１１に係る櫛を説明するための図である。
【発明を実施するための形態】
【００２３】
以下、図面を参照して本願に係る毛梳かし具（櫛、ブラシ）の実施形態の例を説明する。なお、下記のいくつかの実施形態の説明では、同一の構成要素については、説明を省略することがある。また、下記では、理解用意のため、櫛、ブラシという表現を用いているが、毛を梳かすための用具の意味であり、名称によって発明の範囲が限定されることはない。
【００２４】
＜実施形態１＞
図１及び図２は実施形態１に係る櫛１を説明するための図で、図１は櫛１の全体を示す図、図２は各部分を示す図である。
【００２５】
櫛１は、本体櫛部２と、調整櫛部３と、を含む。
【００２６】
本体櫛部２は、複数の外櫛歯２１と、基部２２と、を含む。外櫛歯２１は、基部２２から延出する形状に形成され、梳き方向に直交する方向に沿って一列に形成される。外櫛歯２１は本体櫛部２と一体に形成されていてもよい。
【００２７】
一例として、図示のように、外櫛歯２１は、延出方向に関して円弧状に形成される第１外櫛歯２１１と、直線状の第２外櫛歯２１２と、直線状の第３外櫛歯２１３と、を含む。第１外櫛歯２１１の櫛歯間隔は、第２外櫛歯２１２の櫛歯間隔と同等で、第３外櫛歯２１３の櫛歯間隔より大きい。また、第１外櫛歯２１１の太さは、第２外櫛歯２１２と同等で、第３外櫛歯２１３より太い。
【００２８】
また、一例として、図示のように、外櫛歯２１は、長さが順に短くなるように形成される。従って、第１外櫛歯２１１が全体として第２外櫛歯２１２より長く、第２外櫛歯２１２が全体として第３外櫛歯２１３より長い。また、外櫛歯２１は、その一部が、ここでは例えば図示のように第２外櫛歯２１２の一部から第３外櫛歯２１３にかけて、歯先を連結する線が円弧状になるように形成される。
【００２９】
基部２２は、櫛１の長手方向に延び、外櫛歯２１の根元が連結する保持部２２１と、保持部２２１に略垂直に連結する第１側部２２２及び第２側部２２３の二つの側部（「大外枠」とも言う）とを含んで、略コの字形状に形成される。すなわち、第１側部２２２及び第２側部２２３は、櫛歯の並び方向の両端に位置する。一例として、保持部２２１から第１側部２２２及び保持部２２１から第２側部２２３に移行する角部は丸みのある形状に形成される。また、図示のように、第１側部２２２が第２側部２２３より長く形成される。好ましくは、第１側部２２２は第１外櫛歯の形状にあわせて円弧状に形成され、第２側部２２３は第３外櫛歯の形状にあわせて直線状に形成される。
【００３０】
なお、外櫛歯２１の梳かし方向の厚さは、大外枠（第１側部２２２及び第２側部２２３）の梳かし方向の厚さより薄い。
【００３１】
保持部２２１には、長手方向に沿って切欠き２２４が形成される。また、後述の内櫛歯３１を挿通させるための複数の櫛歯孔２２５が、切欠き２２４の底を貫通して形成される。
【００３２】
また、保持部２２１は、その一部が、ここでは例えば図示のように第２側部２２３に近接する部分が長手方向において反り返る形状に形成される。また、保持部２２１は、その一部が、ここでは例えば図示のように第２側部２２３に近接する部分が他の部分より幅が狭く形成される。
【００３３】
調整櫛部３は、複数の内櫛歯３１と、連結部３２と、を含む。内櫛歯３１は、連結部３２から延出する形状に形成され、梳かし方向に直交する方向に沿って一列に形成される。内櫛歯３１は連結部３２と一体に形成されていてもよい。
【００３４】
一例として、図示のように、内櫛歯３１は、延出方向に関して円弧状に形成される第１内櫛歯３１１と、直線状の第２内櫛歯３１２と、直線状の第３内櫛歯３１３と、を含む。
【００３５】
第１内櫛歯３１１の櫛歯間隔は、第２内櫛歯３１２の櫛歯間隔と同等で、第３内櫛歯３１３の櫛歯間隔より大きい。また、第１内櫛歯３１１の太さは、第２内櫛歯３１２と同等で、第３内櫛歯３１３より太い。
【００３６】
内櫛歯３１は、本体櫛部２と調整櫛部３とが組み合わされた場合に、外櫛歯２１より短くなるように形成されている。すなわち、内櫛歯３１は、隣り合う外櫛歯２１の先端より内側（櫛歯の根元側）にその先端が位置するような長さで形成されている。言い換えれば、外櫛歯２１の先端を結ぶ線より内側（櫛歯の根本側）に、内櫛歯３１の先端が位置している。
【００３７】
具体的には、第１内櫛歯３１１、第２内櫛歯３１２、および第３内櫛歯３１３の長さは、それぞれ、第１外櫛歯２１１、第２外櫛歯２１２、および第３外櫛歯２１３の長さより短い。
【００３８】
内櫛歯３１の先端の丸み半径は、梳かし方向、または、梳かし方向と直交する方向において、外櫛歯２１の先端の丸み半径より小さい。先端を細くすることで、毛髪をかき分ける効果が増大する。一方で、先端を鋭利にしても、外櫛歯２１の内側にあるので、皮膚に接触しないので、皮膚を引っ掻く恐れはない。
【００３９】
具体的には、第１内櫛歯３１１、第２内櫛歯３１２、および第３内櫛歯３１３の先端の丸み半径は、それぞれ、第１外櫛歯２１１、第２外櫛歯２１２、および第３外櫛歯２１３の先端の丸み半径より小さい。すなわち、内櫛歯３１は、外櫛歯２１に比べて、尖っている。
【００４０】
内櫛歯３１の梳かし方向の厚さは、外櫛歯２１の梳かし方向の厚さより薄い。上記のとおり、先端を薄く細くすることで、毛髪をかき分ける効果が増大する。一方で、先端を鋭利にしても、外櫛歯２１の内側にあるので、皮膚に接触しないので、皮膚を引っ掻く恐れはない。
【００４１】
具体的には、第１内櫛歯３１１、第２内櫛歯３１２、および第３内櫛歯３１３の梳かし方向の厚さは、それぞれ、第１外櫛歯２１１、第２外櫛歯２１２、および第３外櫛歯２１３の先端の梳かし方向の厚さより薄い。
【００４２】
また、一例として、図示のように、内櫛歯３１は、長さが順に短くなるように形成される。従って、第１内櫛歯３１１が全体として第２内櫛歯３１２より長く、第２内櫛歯３１２が全体として第３内櫛歯３１３より長い。また、内櫛歯３１は、その一部が、ここでは例えば図示のように、第２内櫛歯３１２の一部から第３内櫛歯３１３にかけて、歯先を連結する線が円弧状になるように形成される。
【００４３】
連結部３２は、一例として、その一部が、ここでは例えば図示のように長手方向において反り返る形状に形成され、また、他の部分より幅が狭く形成される。
【００４４】
調整櫛部３は、図示のように、内櫛歯３１を櫛歯孔２２５に挿通させ、連結部３２を切欠き２２４に嵌め込むことによって、本体櫛部２に取り付けられる。
【００４５】
櫛１は、調整櫛部３を含むことによって、外櫛歯２１と内櫛歯３１とが梳かし方向に直交する方向において交互に配列されるようになる。すなわち、調整櫛部３で、本体櫛部２の櫛歯間隔を狭く調整することができる。このことにより、細い隙間が多く形成された櫛となる。したがって、梳かそうとする毛郡をより細かい束に分けて隙間を通させることができ、毛を磨くように梳かす効果を増大することができる。
【００４６】
また、従来の櫛では、狭い隙間を多く作ろうとすると、それぞれの櫛歯が細くなり、先端が細く尖った櫛歯が多い櫛になってしまい、皮膚を必要以上に引っ掻く原因となる。上記実施形態の櫛１では、内櫛歯３１の先端は、外櫛歯２１より内側にあるので、皮膚に直接当たることはない。したがって、多くの細い櫛歯を有しながら、皮膚を必要以上に引っ掻くことを防止することができる。
【００４７】
また、従来、細い櫛歯の櫛を成形するのは容易ではないとされている。本実施形態の櫛１は、外櫛歯２１と内櫛歯３１を組み合わせで作製するものであるため、成形工程においては櫛歯間隔を所要間隔の例えば２倍に成形すればよいので、型の寿命が短い、樹脂が流れにくい等の問題を解決することができる。
【００４８】
また、第１外櫛歯２１１、第２外櫛歯２１２、第１内櫛歯３１１、第２内櫛歯３１２の櫛歯間隔を大きくし、第３外櫛歯２１３及び第３内櫛歯３１３の櫛歯間隔を小さくすることによって、一本の櫛でありながら、異なる櫛歯間隔を備える櫛とすることができる。
【００４９】
また、延出方向に関して円弧状に形成される第１外櫛歯２１１及び第１内櫛歯３１１は、直線状の櫛歯に比べて毛髪に当接する接点が多くなるため、同間隔の直線状の櫛歯よりも梳き作業の効果が向上する。
【００５０】
また、外櫛歯２１及び内櫛歯３１の長さを順に短くなるように形成することによって、対象の毛髪に差し込む深さを異ならせ、対象の毛髪の深さに応じて適切な長さの櫛歯を用いて梳き作業を行うことができる。
【００５１】
また、外櫛歯２１及び内櫛歯３１の一部を、歯先を連結する線が円弧状になるように形成することで、丸みを帯びた骨格に沿う形になっているため、毛髪を根元から均一に梳かすことができる。
【００５２】
また、保持部２２１及び連結部３２の一部を長手方向において反り返る形状に形成することによって、櫛を寝かせて梳かす場合も、骨格に沿う形になり、毛髪を根元から均一に梳かすことができる。
【００５３】
なお、櫛１は、調整櫛部３が本体櫛部２に取り付けられた状態で使用者に提供されてもよいし、使用者自らが自由に取り付けられるようにして使用者に提供されてもよい。
【００５４】
また、以上では、櫛１が調整櫛部を１つ含むものとして説明したが、櫛１は例えば調整櫛部２つ含み、一方を第１側部に近接する部分に、他方を第２側部に近接する部分に取り付けるようにしてもよい。また、櫛歯の長さ、太さや櫛歯間隔が異なる調整櫛部を複数含み、対象に応じて適切な調整櫛部を用いて櫛歯間隔を調整するようにしてもよい。
【００５５】
また、櫛１はさらに調整櫛部３の櫛歯間隔を調整する第２調整櫛部を含んでもよい。例えば、調整櫛部３の連結部に切欠きを設け、その切欠きの底を貫通する櫛歯孔を設けて、第２調整櫛部を取り付けるようにしてもよい。
【００５６】
また、櫛１は、調整櫛部３を、本体に挿通される櫛歯長さが調整可能に形成されてもよい。また、櫛歯長さが異なる複数の調整櫛部３を含んで、対象に応じて適切な長さのものを選択して取り付けるようにしてもよい。
【００５７】
また、櫛１は、本体及び調整櫛部のうちの少なくとも一部が梳き方向に関して円弧状に形成されてもよい。これによって、直線状の櫛歯に比べて毛髪に当接する接点が多くなるため、同間隔の直線状の櫛歯よりも梳き作業の効果が向上する（図６（ｂ）、（ｃ）参照）。
【００５８】
また、櫛１は、カーボンの粉、金属の粉、金属酸化物の粉、石の粉、ガラス繊維などを含む樹脂で形成されていてもよい。櫛１は、外櫛歯と内櫛歯外とを別個に製造したのちに組み合わせて製造するため、個々の部材の成形時の櫛歯の間を広くすることができる。そのため、樹脂に、カーボンの粉等を混ぜ合わせた流動性の悪い材料でも成形することができる。さらに、インジェクション成形だけでなくコンプレッション成形も可能となる。
【００５９】
また、組み立て前の各部材（本体櫛部２、調整櫛部３）の櫛歯の隙間が広いので、成形後の加工として、バレル研磨（振動バレル）や、ブラスト加工により表面を硬化させたり磨いたりすることが容易である。また、バリ（パーティションラインなど）をとることが容易になる。
【００６０】
また、バフ研磨などを施すことでつやを持たせたりすることができる。これにより毛を滑らかに梳かすことができる。
【００６１】
また、カーボンの粉などを入れることで、椿油などを浸み込ませることが容易となり、髪を傷めず、潤いを与えることができ、昔ながらの手づくりでしかできなかった木製やべっ甲の櫛のような効果が期待できる。
【００６２】
＜実施形態２＞
図３は、本実施形態２に係る櫛１ａを説明するための図で、図３（ａ）は全体を示す図、図３（ｂ）は各部分を示す図である。
【００６３】
櫛１ａは、本体櫛部２ａと、調整櫛部３ａと、を含む。
【００６４】
本体櫛部２ａは、複数の外櫛歯２１ａと、基部２２ａと、把持部２３ａと、を含む。外櫛歯２１ａは、基部２２ａから延出する形状に形成され、梳き方向に直交する方向に沿って一列に形成される。
【００６５】
外櫛歯２１ａは本体櫛部２と一体に形成される。また、外櫛歯２１ａは、延出方向に関して波形状に形成される。外櫛歯２１ａは、ピッチが同等の波形状に形成されてもよいし、図示のように櫛歯先から櫛歯元にかけてピッチが順に小さくなるように形成されてもよいし、その逆でもよい。
【００６６】
基部２２ａは、保持部２２１ａと、第１側部２２２ａ及び第２側部２２３ａの二つの側部（「大外枠」とも言う）とを含んで、略コの字形状に形成される。保持部２２１ａは、一方の側面に長手方向に沿って切欠き２２４ａが形成され、切欠き２２４ａにはリブ２２６ａ及び固定ラッチ２２７ａが設けられる。
【００６７】
なお、外櫛歯２１ａの梳かし方向の厚さは、第１側部２２２ａ及び第２側部２２３ａの梳かし方向の厚さより薄い。
【００６８】
調整櫛部３ａは、複数の内櫛歯３１ａと、連結部３２ａと、を含む。連結部３２ａには、長手方向に沿って凹溝３２１ａが設けられる。また、連結部３２ａの上端には凹み３２２ａが設けられる。
【００６９】
内櫛歯３１ａは連結部３２ａと一体に形成される。内櫛歯３１ａは、連結部３２ａから延出する形状に形成され、梳かし方向に直交する方向に沿って一列に形成される。また、図示のように、内櫛歯３１ａは、延出方向に関して波形状に形成された部分を含む。内櫛歯３１ａの波形状は、ピッチが同等のものでもよいし、図示のように櫛歯先から櫛歯元にかけてピッチが順に小さくなるように形成されてもよいし、その逆でもよい。
【００７０】
内櫛歯３１ａは、本体櫛部２ａと調整櫛部３ａとが組み合わされた場合に、外櫛歯２１ａより短くなるように形成されている。すなわち、内櫛歯３１ａは、隣り合う外櫛歯２１ａの先端より内側（櫛歯の根本側）に先端が位置する長さで形成されている。言い換えれば、外櫛歯２１ａの先端を結ぶ線より内側（櫛歯の根元側）に、内櫛歯３１ａの先端が位置している。
【００７１】
内櫛歯３１ａの先端の丸み半径は、外櫛歯２１ａの先端の丸み半径より小さい。また、内櫛歯３１ａの梳き方向の厚さは、外櫛歯２１ａの梳き方向の厚さより薄い。先端を薄く細くすることで、毛髪をかき分ける効果が増大する。一方で、先端を鋭利にしても、外櫛歯２１ａの内側にあるので、皮膚に接触しないので、皮膚を引っ掻く恐れはない。
【００７２】
調整櫛部３ａは、凹溝３２１ａをリブ２２６ａに合わせながら連結部３２ａを切欠き２２１ａに差し込むことによって、本体に取り付けられる。また、調整櫛部３ａは、固定ラッチ２２７ａを凹み３２２ａに係合させることによって、本体櫛部２ａから外れないように固定される。これによって、調整櫛部３ａは、本体櫛部２ａに着脱可能に取り付けられる。
【００７３】
櫛１ａは、調整櫛部３ａを含むことによって、外櫛歯と内櫛歯とが梳かし方向に直交する方向に交互に配列されるようになる。すなわち、調整櫛部３ａで、本体櫛部２ａの櫛歯間隔を狭く調整することができる。このことにより、細い隙間が多く形成された櫛となる。したがって、梳かそうとする毛郡をより細かい束に分けて隙間を通させることができ、毛を磨くように梳かす効果を増大することができる。
【００７４】
また、従来の櫛では、狭い隙間を多く作ろうとすると、それぞれの櫛歯が細くなり、先端が細く尖った櫛歯が多い櫛になってしまい、皮膚を必要以上に引っ掻く原因となる。上記実施形態の櫛１ａでは、内櫛歯３１ａの先端は、外櫛歯２１ａより内側にあるので、皮膚に直接当たることはない。したがって、多くの細い櫛歯を有しながら、皮膚を必要以上に引っ掻くことを防止することができる。
【００７５】
また、従来、細い櫛歯の櫛を成形するのは容易ではないとされている。本実施形態の櫛１ａは、外櫛歯２１ａと内櫛歯３１ａを組み合わせで作製するものであるため、成形工程においては櫛歯間隔を所要間隔の例えば２倍に成形すればよいので、型の寿命が短い、樹脂が流れにくい等の問題を解決することができる。
【００７６】
また、延出方向に関して波形状に形成された部分を含む外櫛歯２１ａ及び内櫛歯３１ａは、直線状の櫛歯に比べて毛髪に当接する接点が多くなるため、同間隔の直線状の櫛歯よりも梳き作業の効果が向上する。
【００７７】
また、以上では櫛１ａが１つの調整櫛部３ａを含むものとして説明したが、複数の調整櫛部を含んで対象に応じて適切な調整櫛部を選択して櫛歯間隔を調整できるようにしてもよい。
【００７８】
また、櫛１ａは、保持部２２１ａの両側面に切欠き２２４ａが形成されて、同時に二つの調整櫛部３ａを取り付けられるようにしてもよい。これによって、櫛歯間隔をさらに調整やすくなる。
【００７９】
また、櫛１ａは、必ずしもリブ２２６ａや凹溝３２１ａを設けなくてもよい。連結部３２ａを切欠き２２４ａに嵌め込んで、本体ラッチ２２７ａを凹み３２２ａに係合させるだけでもよい。
【００８０】
また、櫛１ａは、保持部２２１ａに、上記のような解放形状の切欠きの代わりに、一方だけ解放された解放口のあるスリットを設けて、調整櫛部３ａを解放口から差し込むようにしてもよい。
【００８１】
また、交換式にすることで、先端部などが痛んだ場合に交換でき、洗浄しやすくなる。
【００８２】
＜実施形態３＞
図４及び図５は、実施形態３に係る櫛１ｂを説明するための図で、図４は全体を示す図、図５は調整櫛ユニットセット５Ｓを示す図である。
【００８３】
櫛１ｂは、把持部６３と、ヘッド６２と、調整櫛ユニットセット５Ｓと、を含む。調整櫛ユニットセット５Ｓは、複数の調整櫛ユニット５を含む。
【００８４】
調整櫛ユニット５は、本体櫛部２ｂと、調整櫛部３ｂとが組み合われて形成されている。本体櫛部２ｂは、複数の外櫛歯２１ｂと、基部２２ｂと、を含む。外櫛歯２１ｂは、基部２２ｂから延出する形状に形成され、梳かす方向に直交する方向に沿って一列に形成される。
【００８５】
外櫛歯２１ｂは、本体櫛部２ｂと一体に形成される。また、外櫛歯２１ｂは、延出方向に関して波形状に形成される。外櫛歯２１ｂは、ピッチが同等の波形状に形成されてもよいし、図示のように櫛歯先から櫛歯元にかけてピッチが順に小さくなるように形成されてもよいし、その逆でもよい。
【００８６】
基部２２ｂは、保持部２２１ｂと、第１側部２２２ｂ及び第２側部２２３ｂの二つの側部（「大外枠」とも言う）とを含んで、略コの字形状に形成される。
【００８７】
なお、外櫛歯２１ｂの梳かし方向の厚さは、第１側部２２２ｂ及び第２側部２２３ｂの梳かし方向の厚さより薄い。
【００８８】
調整櫛部３ｂは、複数の内櫛歯３１ｂと、連結部（不図示）と、を含む。
【００８９】
内櫛歯３１ｂは連結部と一体に形成される。内櫛歯３１ｂは、連結部から延出する形状に形成され、梳かす方向に直交する方向に沿って一列に形成される。また、図示のように、内櫛歯３１ｂは、根本付近において、延出方向に関して波形状に形成された部分を含む。
【００９０】
内櫛歯３１ｂは、本体櫛部２ｂと調整櫛部３ｂとが組み合わされた場合に、外櫛歯２１ｂより短くなるように形成されている。すなわち、内櫛歯３１ｂは、隣り合う外櫛歯２１ｂの先端より内側（櫛歯の根本側）に先端が位置する長さで形成されている。言い換えれば、外櫛歯２１ｂの先端を結ぶ線より内側（櫛歯の根元側）に、内櫛歯３１ｂの先端が位置している。
【００９１】
内櫛歯３１ｂの先端の丸み半径は、外櫛歯２１ｂの先端の丸み半径より小さい。また、内櫛歯３１ｂの梳かし方向の厚さは、外櫛歯２１ｂの梳かし方向の厚さより薄い。先端を薄く細くすることで、毛髪をかき分ける効果が増大する。一方で、先端を鋭利にしても、外櫛歯２１の内側にあるので、皮膚に接触しないので、皮膚を引っ掻く恐れはない。
【００９２】
保持部２２１ｂには長手方向に沿ってスリット２２４ｂが設けられ、保持部２２１ｂの上端は、スリット２２４ｂを挟んで側壁２２５ｂ及び側壁２２６ｂの二つの側壁に分かれる。また、二つの側壁は、離間する方向にそれぞれ突出して、保持部２２１ｂの上端は他の部分よりも厚み方向の幅が大きく形成される。
【００９３】
調整櫛ユニットセット５Ｓは、複数の調整櫛ユニット５を重ねて結合し、組み立てられる。また、このように組み立てることによって、突出している側壁同士が当接しながらも、櫛歯列同士は互いに干渉しないように所定の間隔に保たれる。
【００９４】
調整櫛ユニットセット５Ｓは、図４に示すように、例えば、保持部２２１ｂをヘッド６２の凹部に嵌め込むことによって取り付けられる。
【００９５】
櫛１ｂは、調整櫛ユニットセット５Ｓを含むことによって、櫛歯間隔をさらに自由に調整することができる。例えば、各調整櫛ユニット５の櫛歯の位置をずらしたものを組み立てて調整櫛ユニットセット５Ｓとすれば、成形工程においては櫛歯間隔を所望間隔より大きく成形してもよいので、型の寿命が短い、樹脂が流れにくい等の問題を解決することができる。
【００９６】
また、対象の毛髪の状態によって、調整櫛ユニットセット５Ｓを構成する調整櫛ユニット５の数を調整することもできる。例えば、より丁寧に梳かす必要がある場合は、櫛歯間隔及び櫛歯位置が同じ調整櫛ユニット５の数を増やすことができる。
【００９７】
また、延出方向に関して波形状に形成された部分を含む内櫛歯は、直線状の櫛歯に比べて毛髪に当接する接点が多くなるため、同間隔の直線状の櫛歯よりも梳き作業の効果が向上する。さらに、このような内櫛歯を重ねることによって、さらに効果を向上させることができる。
【００９８】
なお、以上に記載の外櫛歯の少なくとも一部及び補助櫛歯の少なくとも一部は、梳かし方向に関して波形状に形成された部分を含んでもよい。図６はこのような櫛１ｃを示すもので、図６（ａ）は全体図、図６（ｂ）は図６（ａ）のＸ−Ｘ線における断面図、図６（ｃ）は使用状態を示す図である。図示のように、櫛１ｃは、本体櫛部２ｃ及び調整櫛部３ｃの櫛歯が梳かし方向に関して波形状に形成された部分を含む。これによって、直線状の櫛歯に比べて毛髪に当接する接点が多くなるため、同間隔の直線状の櫛歯よりも梳き作業の効果が向上する。
【００９９】
＜実施形態４＞
図７〜図１１は実施形態４に係る櫛ブラシ１ｄを説明するための図で、図７は全体を説明するための図、図８はハンドル本体を説明するための図、図９は櫛連結部等を説明するための図、図１０は調整櫛部を説明するための図である。図７（ａ）は平面図、図７（ｂ）は正面図、図１（ｃ）は櫛歯側から見た側面図である。
【０１００】
櫛ブラシ１ｄは、ハンドル本体７と、ハンドル本体７から櫛連結部４介して接続する櫛歯ユニット５ｄを含む。
【０１０１】
ハンドル本体７は、基部７１と、接続部７２と、弾性部７３と、リング状部７４と、突出部７５と、握り部７６と、を含む。
【０１０２】
弾性部７３は、少なくとも１０〜２０度屈曲可能な部分である。一例として、図示のように、弾性部７３は、上下方向に波状に屈曲して形成される。
【０１０３】
リング状部７４は、貫通孔である指通し孔７４１を有してリング状に形成される。図示の指通し孔７４１は楕円形であるが、真円形であってもよいし、他の形状であってもよい。
【０１０４】
突出部７５は、リング状部７４に延設され、左右両側に突出部分を含む。また、突出部７５は、例えば、弾性部７３及びリング状部７４よりも上下方向における厚みが厚く、突出部分に対応する部分の厚みが最も厚く形成される。
【０１０５】
握り部７６は、突出部７５に延設される。握り部７６も、例えば弾性部７３及びリング状部７４より厚みが厚く形成され、末端付近部分の厚みが最も厚く形成される。
【０１０６】
櫛ブラシ１は、ブラッシング面に対して櫛歯の角度を変更自在に構成される。すなわち、櫛ブラシ１は、角度変更機構を含み、これによって、櫛歯がブラッシング面に対して角度を変更自在に構成される。
【０１０７】
一例として、基部７１は、軸芯を有する略円柱形状に形成され、櫛歯は、基部７１の外周面からその軸方向に直交するように延出した形状に形成される。
【０１０８】
基部７１は、軸方向に沿って切り開かれた開口部７１１を有する。基部７１の軸方向の一端には、押込ボタン７１２が嵌め込まれ、その内側にスプリングが内設されている。基部７１の軸方向の他端の内側には、凹凸形状部分を含むロック部材が内設される。
【０１０９】
接続部７２は、略円筒形状に形成される。接続部７２は、基部７１の開口部７１１に嵌め込まれ、基部７１の軸芯に挿通されて、この軸芯を中心に回動できる。また、接続部７２は、一端（押込ボタン７１２に遠い方）の側壁に凹凸形状（例えば歯車状）に形成されたロック受け部７２１を備え、押込ボタン７１２に連結したロック部材に係合する。スプリングはロック部材を係合方向に常時付勢し、押込ボタン７１２が押されることでロック部材はロック受け部７２１から離脱し、ロックが解除される。接続部７２の回動は、これによって規制される。
【０１１０】
本実施形態においては、櫛歯ユニット５ｄは、ハンドル本体７に着脱自在に取り付けられる。
【０１１１】
そのため、基部７１は、円柱形状部分から延設される部分を含み、この部分に溝７１４が設けられている。
【０１１２】
櫛連結部４は、櫛歯ユニット５ｄをハンドル本体７に連結するための部分である。一例として、櫛連結部４は、本体櫛部２ｄの上方においてこれと直交する方向に延びる切欠部４１を有する。この切欠部４１には下方に貫通する櫛歯孔４２が複数設けられている。また、櫛連結部４は、本体櫛部２ｄと直交する方向にリブ４３が設けられ、側壁に凸部４４が設けられている。また、切欠部４１の側壁を貫通する二つの挿通孔４５を有する。
【０１１３】
櫛連結部４は、リブ４３を基部７１の溝部７１４ｄに挿通させ、凸部４４を基部７１の凹部７１３ｄに嵌め込むことによって、ハンドル本体７と連結する。
【０１１４】
櫛ブラシ１ｄは、上記のように、ブラッシング面に対して、櫛歯が角度を変更自在である。すなわち、押込ボタン７１２を押すと、上記のようにロックが解除されて、接続部７２が回動可能状態となる。この状態で、所定角度回して押込ボタン７１２を放すと、再びロック状態になり、回動が規制される。なお、角度変更機構は、櫛歯がブラッシング面に対して角度を変更可能であればよく、これに限定されるものではない。
【０１１５】
櫛ブラシ１は、このように、ブラッシング角度を調整することができ、ブラッシング対象、さらにはその対象のブラッシング部位に応じて適切な角度で作業をすることができる。
【０１１６】
また、櫛ブラシ１は、弾性部を含むことによって、ブラッシング対象に当接する櫛歯の力加減が自動的に調整される。これによって、ブラッシング対象の皮膚状態や毛並、骨格の凹凸等に合わせたブラッシングができる。
【０１１７】
また、櫛ブラシ１は、リング状部７４及び突出部７５、握り部７６を含むことによって、ブラッシング対象に合わせて適切に把持して作業をすることができる。例えば、ブラッシング対象が動物の場合、背中部分の被毛をブラッシングする際には、指をリング状部７４に通し、他の指を突出部７５に掛けて、握り部７６を握るように把持することができる。また、ブラッシング対象のお腹部分の被毛をブラッシングする際には、握り部７６を握って作業をすることができる。
【０１１８】
櫛歯ユニット５ｄは、本体櫛部２ｄと、調整櫛部３ｄを組み合わせて形成されている。
【０１１９】
櫛歯ユニット５ｄの本体櫛部２ｄは、複数の外櫛歯２１ｄと、基部２２ｄとを含む。基部２２ｄは、保持部２２１ｄと、第１側部２２２ｄ及び第２側部２２３ｄの二つの側部（「大外枠」とも言う）とを含んで、略コの字形状に形成される。外櫛歯２１ｄは、保持部２２１ｄから延出する形状に形成され、梳かし方向に直交する方向に沿って一列に形成される。
【０１２０】
なお、外櫛歯２１ｄの梳かし方向の厚さは、第１側部２２２ｄ及び第２側部２２３ｄの梳かし方向の厚さより薄い。
【０１２１】
一例として、外櫛歯２１ｄは、前後方向に幅広で左右方向に幅狭の板状に形成される。外櫛歯２１ｄは、図示のように、前後方向における幅が、歯先に向かって徐々に狭くなるように形成されてもよい。また、好ましくは、少なくとも歯先から１／３を占める部分が、前方に向かって湾曲する形状に形成される。
【０１２２】
調整櫛部３ｄは、複数の内櫛歯３１ｄと、連結部３２ｄと、を含む。内櫛歯３１ｄは、連結部３２ｄから延出する形状に形成され、梳かし方向に直交する方向に沿って一列に形成される。
【０１２３】
内櫛歯３１ｄは、本体櫛部２ｄと調整櫛部３ｄとが組み合わされた場合に、外櫛歯２１ｄより短くなるように形成されている。すなわち、内櫛歯３１ｄは、隣り合う外櫛歯２１ｄの先端より内側（櫛歯の根本側）に先端が位置する長さで形成されている。言い換えれば、外櫛歯２１ｄの先端を結ぶ線より内側（櫛歯の根元側）に、内櫛歯３１ｄの先端が位置している。
【０１２４】
内櫛歯３１ｄの先端の丸み半径は、外櫛歯２１ｄの先端の丸み半径より小さい。また、内櫛歯３１ｄの梳き方向の厚さは、外櫛歯２１ｄの梳き方向の厚さより薄い。先端を薄く細くすることで、毛髪をかき分ける効果が増大する。一方で、先端を鋭利にしても、外櫛歯２１ｄの内側にあるので、皮膚に接触しないので、皮膚を引っ掻く恐れはない。
【０１２５】
図１１は、櫛歯の形状の関係を拡大して示した図である。図に示すように、長い毛を梳かすものである場合は、外櫛歯２１ｄの長さLaを、２０ｍｍ〜４０ｍｍとし、内櫛歯３１ｄの長さLbを１２ｍｍ〜３５ｍｍとし、その差La-Lbを、２ｍｍ以上とすることが好ましい。また、短い毛を梳かすものである場合は、外櫛歯２１ｄの長さLaを、１０ｍｍ〜２０ｍｍとし、内櫛歯３１ｄの長さLbを８ｍｍ〜１８ｍｍとし、その差La-Lbを、１ｍｍ以上とすることが好ましい。
【０１２６】
また、外櫛歯２１ｄの間隔ｗ１は、２ｍｍ〜６ｍｍであり、好ましくは２．５ｍｍ〜５ｍｍである。
【０１２７】
また、櫛歯同士の間隔（外櫛歯２１ｄと内櫛歯３１ｄとの間隔）Ｗ２は、０．１ｍｍ〜０．８ｍｍであり、好ましくは、０．２ｍｍ〜０．６ｍｍである。
【０１２８】
また、図１１（ｂ）に示すように、櫛歯の断面が梳かす方向に対して、徐々に広がる形状をしていてもよい。すなわち、外櫛歯２１ｄ及び内櫛歯３１ｄは、両者の間隔が梳かし方向に対して徐々に狭まる形状（前方で広く、後方に向けて間隔が狭まる形状）を有していてもよい。そうすれば、毛束の取り込みを容易にしながら、後方では櫛歯で挟み込むことで、毛を均す効果や毛の付着物を除去するなどの効果が向上する。
【０１２９】
調整櫛部３ｄは、複数の内櫛歯３１ｄを櫛連結部４の櫛歯孔４２に挿通させ、連結部３２ｄの両端部の凸部５２６ｄを櫛連結部４の挿通孔４５に挿通させて、櫛連結部４ないしハンドル本体７に取り付けられる。
【０１３０】
櫛ブラシ１ｄは、櫛歯ユニット５ｄを、櫛連結部４を通じて、ハンドル本体７に着脱可能に形成することによって、例えば櫛歯部分が破損した場合にこの部分だけ取り替えることができ、取替コストを削減することができる。また、櫛歯が異なるものを複数用意することによって、ブラッシング対象に応じて適切な櫛歯に取り替えることができる。
【０１３１】
また、櫛ブラシ１ｄは、調整櫛部３ｄを取り外し可能とすることによって、櫛歯間隙を調整することができ、ブラッシング対象やその対象のブラッシング部位に応じた適切なブラッシングができる。また、外櫛歯と内櫛歯を形状が異なるものとすることで、さらに柔軟に調整してブラッシングすることができるようになる。
【０１３２】
また、調整櫛部３ｄに内櫛歯３１ｄの櫛歯を出す長さを調整し固定できるロック機構を設けても良い。
【０１３３】
なお、櫛連結部は、調整櫛ユニットを本体に連結できるものであればよく、上記構成に限定されるものではない。また、以上では、１つの調整櫛部を含むものとして説明したが、複数の調整櫛部を含んで対象に応じて適切なものを選択して用いてもよい。また、調整櫛部にさらに別の調整櫛部を重ねたものを、櫛連結部を通して本体に取り付けてもよい。
【０１３４】
以上、実施形態１〜４について説明した。
【０１３５】
なお、複数の外櫛歯及び複数の内櫛歯は、その一方又は双方が、延出方向に関して波形状に形成された部分を含む形状であってもよい。または、少なくとも一部が、ブラッシング方向に関して波形状に形成された部分を含む形状であってもよい。または、少なくとも一部が櫛歯間隙に向かって凸出する三角歯を含む形状であってもよい。
【０１３６】
上記実施形態では、長い櫛歯と短い櫛歯を別個に作成して組み合わせて形成することとしたが、これに限らず、一体成形してもよい。
【０１３７】
＜変形例＞
図１２（ａ）は、櫛歯の両端の大外枠２２３ｆと、外櫛歯２１ｆと、内櫛歯３１ｆとを、一体成形して作成した櫛１ｆを示す。
【０１３８】
図１２（ｂ）は、同様に一体成形した例を示すが、外周を形成する櫛歯の先端の間隔をやや狭めている。すなわち、隣り合う外櫛歯２１ｇの先端の間の距離ＷＴは、内櫛歯３１ｇの先端を挟んでいる部分の外櫛歯２１ｇの間の距離Ｗｔより短い。大外枠２２３ｇとその隣の外櫛歯２１ｇとの間の距離ＷＴも、内櫛歯３１ｇの先端を挟んでいる部分の大外枠２２３ｇとその隣の外櫛歯２１ｇの間の距離Ｗｔより短い。
【０１３９】
そのため、外櫛歯２１ｇは、根本から先端に向かって、徐々に幅を狭めつつ、内櫛歯の先端を過ぎたあたりから先端付近において、再び幅が広がり先端に至る、という形状を備える。
【０１４０】
仮に、櫛歯先端付近の空隙が大きく、内櫛歯より根本側の空隙が極端に狭いと、進入した毛束の行場がなくなり、滑らかに梳かすことができなくなる。そこで、櫛１ｇによれば、櫛歯の先端付近で進入した毛束が、そのまま櫛歯の根元まで滑らかに移動できる。
【０１４１】
なお、上記実施形態１〜４においても、櫛１ｇのように、外周を形成する櫛歯の先端の間隔をやや狭めて構成することができることは言うまでもない。
【０１４２】
＜実施形態５＞
図１３は、実施形態５にかかる櫛１ｈを示す。図１３では、片方の大外枠２２３ｈ付近を拡大して示している。
【０１４３】
櫛１ｈは、櫛１ｈの両端の大外枠２２３ｈと、大外枠の間に形成された複数の外櫛歯２１ｈと、外櫛歯２１ｈの間に形成され、外櫛歯２１ｈより短い複数の内櫛歯３１ｈを備える。
【０１４４】
内櫛歯３１ｈは、先端が複数（例えば３つ）に別れており、小櫛歯Ｆが形成されている。
【０１４５】
外櫛歯２１ｈの長さLaと、内櫛歯３１ｈ（すなわち、根本から小櫛歯Ｆの先端までの距離）の長さLbとの差（La-Lb）は、０．２ｍｍ〜５ｍｍであり、好ましくは０．３ｍｍ〜３ｍｍである。
【０１４６】
外櫛歯２１ｈと内櫛歯３１ｈとの間隔W2は、０．１ｍｍ〜０．８ｍｍであり、好ましくは０．２ｍｍ〜０．６ｍｍである。
【０１４７】
小櫛歯Fの先端の丸み半径は、外櫛歯２１ｈの先端の丸み半径より小さい。
【０１４８】
小櫛歯Ｆ同士の間隔Ｗ３は、内櫛歯３１ｈと外櫛歯２１ｈとの間隔Ｗ２よりも狭い。また、小櫛歯Ｆの幅は、外櫛歯２１ｈの幅より狭い。
【０１４９】
小櫛歯F同士の間隔W3は、０．１ｍｍ〜０．５ｍｍである。
【０１５０】
このような櫛１ｆは、ダブルコートの犬などに好適である。すなわち、外櫛歯２１ｈと内櫛歯３１ｈとの隙間を利用して、長い毛を梳かすことができ、小櫛歯Ｆによって、短い毛（産毛等）を梳かすことができる。また、太さや堅さ長さが異なる毛が混在している場合でも、ちょうど良い梳き具合が実現できる。小櫛歯Ｆは、先端が鋭利ではあるものの、外櫛歯２１ｈや大外枠２２３ｈよりも内側にあるので、直接皮膚を引っ掻くことを防止できる。
【０１５１】
＜実施形態６＞
図１４は、実施形態６にかかる櫛１ｉを示す。図１４（ａ）では、片方の大外枠２２３ｉ付近を拡大して示している。図１４（ｂ）は、大外枠と外櫛歯と小櫛歯の形状を比較するために櫛歯の並び方向から見た図である。図１４（ｃ）は、図１４（ａ）のＡ−Ａ方向の断面図である。
【０１５２】
櫛１ｉは、櫛１ｉの両端の大外枠２２３ｉと、大外枠の間に形成された複数の外櫛歯２１ｉと、外櫛歯２１ｉの間に形成され、外櫛歯２１ｉより、差ｇ１だけ短い複数の内櫛歯３１ｉを備える。
【０１５３】
内櫛歯３１ｉは、先端が複数（例えば３つ）に別れており、小櫛歯Ｆが形成されている。また、内櫛歯３１ｉは、小櫛歯Ｆの形成部より根本側においてクビレ部３２１ｉを有する。クビレ部３２１ｉにより、隙間が設けられ、長い毛の通りを良くすることができる。
【０１５４】
図１４（ｂ）に示すように、小櫛歯Ｆの先端の丸み半径は、梳かし方向、または、梳かし方向と直交する方向において、外櫛歯２１ｉの先端の丸み半径より小さい。また、外櫛歯２１ｉの先端の丸み半径は、梳かし方向、または、梳かし方向と直交する方向において、大外枠２２３ｉの先端の丸み半径より小さい。
【０１５５】
図１４（ｃ）に示すように、小櫛歯Ｆの梳かし方向の厚さは、外櫛歯２１ｉの梳かす方向の厚さより薄い。また、外櫛歯２１ｉの梳かし方向の厚さは、大外枠２２３ｉの梳かし方向の厚さより薄い。
【０１５６】
このような櫛１ｉによれば、大外枠を頑丈に形成しつつ、櫛歯を丁度良い太さと間隔にすることができる。
【０１５７】
なお、変形例として、図１４（ｄ）に示すように、小櫛歯Ｆは、小櫛歯同士の間隔が梳かし方向に対して徐々に狭まる形状を有していてもよい。具体的には、小櫛歯Ｆの断面が、梳かし方向において、徐々に広がる形状を有している。こうすれば、広い入り口Ｗ３ｓで毛束を容易に進入させ、狭い隙間Ｗ３ｅを通して出すことで、滑らかに梳かす効果を向上させることができる。
【０１５８】
＜実施形態７＞
図１５は、実施形態７にかかる櫛１ｊを示す。櫛１ｊは、実施形態６の櫛１ｉにおける、大外枠と一体成形された外櫛歯２１ｊと、別個に形成された内櫛歯３１ｊを組み合わせて形成されている。
【０１５９】
外櫛歯２１ｊと内櫛歯３１ｊとを別個に形成すれば良いので、櫛歯間隔が２倍のものを加工すれば良く、製造が容易となる。
【０１６０】
＜実施形態８＞
図１６及び図１７は、実施形態８の櫛１ｋを示す。
【０１６１】
本実施形態の櫛１ｋは、実施形態１の櫛１において、内櫛歯３１の一部を2本の小櫛歯Ｆを有するものとし、二股部３１１ｋを設けたものである。
【０１６２】
内櫛歯３１の先端を二つに分岐させた小櫛歯Ｆを形成させる以外は、実施形態１と同様である。
【０１６３】
櫛１ｋによれば、短い毛と長い毛を持つダブルコートの犬などの毛を梳かすのに便利である。
【０１６４】
＜実施形態９＞
図１８（ａ）は、実施形態９の櫛１ｍを示す。
【０１６５】
本実施形態の櫛１ｍは、実施形態２の櫛１ａにおいて、内櫛歯３１ａを２本の小櫛歯Ｆを有するものとした。図１８（ｂ）に示すように、小櫛歯Ｆを有する内櫛歯３１ａを有する調整櫛部３ａを、櫛本体櫛部２ａに組み合わせて形成することができる。
【０１６６】
＜実施形態１０＞
図１９（ａ）は、実施形態１０の櫛ブラシ１ｎを示す。
【０１６７】
本実施形態の櫛ブラシ１ｎは、実施形態３の櫛ブラシ１ｂにおいて、調整櫛ユニットセット５Ｓの内櫛歯３１ｂを２本の小櫛歯Ｆを有するものとした。
【０１６８】
櫛ブラシ１ｎによれば、短い毛と長い毛を持つダブルコートの犬などの毛をブラッシングするのに便利である。小櫛歯Ｆは、鋭利であり、間隔が狭いので、短い毛を梳かすのに有効である一方、皮膚に直接当たらないので、皮膚を引っ掻くことがない。
【０１６９】
＜実施形態１１＞
図２０（ａ）は、実施形態１０の櫛ブラシ１ｐを示す。
【０１７０】
本実施形態の櫛１ｐは、実施形態４の櫛１ｃにおいて、内櫛歯３１ｃを２本の小櫛歯Ｆを有するものとした。
【０１７１】
また、図２０（ｂ）に示すＸ−Ｘ方向断面図のように、櫛歯の根本付近の一部が、梳かし方向に関して波形状に形成された部分を含む。一方、図２９（ｂ）に示すＹ−Ｙ方向断面図のように、先端付近では、波形状ではなく、直線形状である。
【０１７２】
櫛１ｐによれば、短い毛と長い毛を持つダブルコートの犬などの毛をブラッシングするのに便利である。小櫛歯Ｆは、鋭利であり、間隔が狭いので、短い毛を梳かすのに有効である一方、皮膚に直接当たらないので、皮膚を引っ掻くことがない。
【０１７３】
また、図２０（ｃ）に示すように、隙間が波形状となることで、毛を均して梳かす効果が向上する。
【０１７４】
なお、上記各実施形態における櫛歯（外櫛歯、内櫛歯、小櫛歯）の形状は、これらに限定されず、さまざまな変形が可能である。例えば、櫛歯の延出方向（櫛歯の長手方向）に関して波形状を有する形態において、櫛歯の先端から櫛歯元にかけて、徐々に波の数が増える（または波の数が減る）ようにしてもよい。また、櫛歯の先端から櫛歯元にかけて、その波の大きさが徐々に小さくなるようにしても良い。また、その逆に、徐々に大きくなるようにしてもよい。
【０１７５】
また、外櫛歯と内櫛歯は、必ずしも、交互に配されていなくてもよい。例えば、所定数（例えば２つ）の内櫛歯ごとに外櫛歯が配されていてもよいし、所定数（例えば２つ）の外櫛歯ごとに内櫛歯が配されていてもよい。
【０１７６】
また、上述したが、外櫛歯に対する内櫛歯の取付け位置を変更し、外櫛歯の先端の位置と内櫛歯の先端との間の距離を調節する調節機構を備えていてもよい。例えば、実施形態１において、調整櫛部３の内櫛歯３１を、本体櫛部２の櫛歯孔２２５に完全には差し込まない状態（すなわち、連結部３２を切欠き２２４に嵌め込まない状態）で固定できるように、固定材を、連結部３２と切欠き２２４の間に挟む。そうすれば内櫛歯３１の外櫛歯２１側に突出する部分が、固定材の長さだけ、さらに短くなる。
【０１７７】
また、上記の小櫛歯を備える実施形態の変形例として、用途に応じて、外櫛歯の先端の長さと内櫛歯の長さを同じとすることができる。すなわち、小櫛歯の先端位置と外櫛歯の先端位置が同じになるように形成した櫛やブラシであってもよい。
【０１７８】
以上、本発明に係る櫛の実施形態について説明したが、これらは本発明の実施形態の一例に過ぎず、本発明はこれらに限定されるものではない。本発明には、以上の各実施形態を組み合わせた形態や、様々な変形例が含まれる。
【０１７９】
なお、本発明に係る梳かし具は、人間用の櫛やブラシとして実施されてもよいし、動物用として実施されてもよく、また、用途に応じて変形を加えてもよい。
【符号の説明】
【０１８０】
１、１ａ、１ｃ、１ｆ、１ｇ、１ｈ、１ｉ、１ｊ、１ｋ、１ｍ、１ｐ・・・櫛
１ｂ、１ｄ、１ｎ・・・櫛ブラシ
２、２ａ、２ｂ、２ｃ、２ｄ・・・本体櫛部
２１、２１ａ、２１ｂ、２１ｄ、２１ｆ、２１ｈ、２１ｉ、２１ｊ、２１ｎ・・・外櫛歯
２２、２２ａ、２２ｂ、２２ｄ、２３ａ・・・基部
３、３ａ、３ｂ、３ｃ、３ｄ・・・調整櫛部
３１、３１ａ、３１ｂ、３１ｃ、３１ｄ、３１ｆ、３１ｇ、３１ｈ、３１ｉ、３１ｊ・・・内櫛歯
３２、３２ａ、３２ｄ・・・連結部
４１・・・切欠部
４２・・・櫛歯孔
４３・・・リブ
４４・・・凸部
４５・・・挿通孔
５・・・調整櫛ユニット
５Ｓ・・・調整櫛ユニットセット
５ｄ・・・櫛歯ユニット
７・・・ハンドル本体
６２・・・ヘッド
６３・・・把持部
７１・・・基部
７２・・・接続部
７３・・・弾性部
７４・・・リング状部
７５・・・突出部
２２１、２２１ａ、２２１ｂ、２２１ｄ・・・保持部
２２２、２２２ａ、２２２ｂ、２２２ｄ、２２３、２２３ａ、２２３ｂ、２２３ｄ・・・側部（大外枠）
２２３ｆ、２２３ｇ、２２３ｈ、２２３ｉ・・・大外枠
２２４・・・切欠き、２２５・・・櫛歯孔
３１１ｋ・・・二股部
３１４ｄ・・・溝部
３２１ａ・・・凹溝
３２１ｉ・・・クビレ部
５２６ｄ・・・凸部
７１１・・・開口部
７１２・・・押込ボタン
７１３ｄ・・・凹部
７１４・・・溝
【図１】
2018130145.tif 000003
【図２】
2018130145.tif 000004
【図３】
2018130145.tif 000005
【図４】
2018130145.tif 000006
【図５】
2018130145.tif 000007
【図６】
2018130145.tif 000008
【図７】
2018130145.tif 000009
【図８】
2018130145.tif 000010
【図９】
2018130145.tif 000011
【図１０】
2018130145.tif 000012
【図１１】
2018130145.tif 000013
【図１２】
2018130145.tif 000014
【図１３】
2018130145.tif 000015
【図１４】
2018130145.tif 000016
【図１５】
2018130145.tif 000017
【図１６】
2018130145.tif 000018
【図１７】
2018130145.tif 000019
【図１８】
2018130145.tif 000020
【図１９】
2018130145.tif 000021
【図２０】
2018130145.tif 000022
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
複数の櫛歯を含む毛梳かし具であって、
複数の外櫛歯と、
隣り合う前記外櫛歯の間に配され、前記外櫛歯の先端より内側に先端が位置する長さで形成された内櫛歯と、を備え、
前記内櫛歯の先端の丸み半径は、梳かし方向、または、梳かし方向と直交する方向において前記外櫛歯の先端の丸み半径より小さく、
前記内櫛歯の梳き方向の厚さは、前記外櫛歯の梳き方向の厚さより薄く、
前記外櫛歯と前記内櫛歯が交互に配列される
ことを特徴とする毛梳かし具。
【請求項２】
請求項１に記載の毛梳かし具であって、
隣り合う前記外櫛歯の先端の間の距離は、前記内櫛歯の先端を挟んでいる部分の外櫛歯の間の距離より広い
ことを特徴とする毛梳かし具。
【請求項３】
請求項１に記載の毛梳かし具であって、
隣り合う前記外櫛歯の先端の間の距離は、前記内櫛歯の先端を挟んでいる部分の外櫛歯の間の距離より狭い
ことを特徴とする毛梳かし具。
【請求項４】
請求項１〜３の何れか一項に記載の毛梳かし具であって、
前記外櫛歯及び前記内櫛歯は、両者の間隔が梳かし方向に対して徐々に狭まる形状を有している
ことを特徴とする毛梳かし具。
【請求項５】
請求項１〜４のいずれか一項に記載の毛梳かし具であって、
前記櫛歯の並び方向の両端に、大外枠を有し
前記外櫛歯は前記大外枠の先端より内側に先端が位置する
ことを特徴とする毛梳かし具。
【請求項６】
請求項１〜５のいずれか一項に記載の毛梳かし具であって、
前記複数の外櫛歯を構成する本体櫛部と、
前記内櫛歯を構成する調整櫛部と、
を組み合わせて構成される
ことを特徴とする毛梳かし具。
【請求項７】
請求項６に記載の毛梳かし具であって、
前記調整櫛部は、前記本体櫛部から取り外し可能である
ことを特徴とする櫛。
【請求項８】
請求項６又は７に記載の毛梳かし具であって、
前記外櫛歯に対する前記内櫛歯の取付け位置を変更し、前記外櫛歯の先端の位置と前記内櫛歯の先端との間の距離を調節する調節機構を備える
ことを特徴とする毛梳かし具。
【請求項９】
請求項６〜８のいずれか一項に記載の毛梳かし具であって、
前記本体櫛部と前記調整櫛部とを組み合わせた部材を、複数組み合わせてブラシを構成している
ことを特徴とする毛梳かし具。
【請求項１０】
請求項１〜９のいずれか一項に記載の毛梳かし具であって、
前記内櫛歯は、当該内櫛歯の先端付近が複数に分岐した形状からなる小櫛歯を備える
ことを特徴とする毛梳かし具。
【請求項１１】
請求項１０に記載の毛梳かし具であって、
前記小櫛歯同士の間隔は前記外櫛歯と前記内櫛歯との間隔よりも狭い
ことを特徴とする毛梳かし具。
【請求項１２】
請求項１０又は１１に記載の毛梳かし具であって、
前記小櫛歯は、前記小櫛歯同士の間隔が梳かし方向に対して徐々に狭まる形状を有している
ことを特徴とする毛梳かし具。
【請求項１３】
請求項１０〜１２のいずれか一項に記載の毛梳かし具であって、
前記小櫛歯の先端の丸み半径は、梳かし方向、または、梳かし方向と直交する方向において前記外櫛歯の先端の丸み半径より小さい
ことを特徴とする毛梳かし具。
【請求項１４】
請求項１〜１３のいずれか一項に記載の毛梳かし具であって、
カーボンの粉、金属の粉、金属酸化物の粉、石の粉、またはガラス繊維を含む樹脂で形成されている
ことを特徴とする毛梳かし具。
【請求項１５】
請求項１〜１４のいずれか一項に記載の毛梳かし具であって、
バレル加工、またはブラスト加工が施されている
ことを特徴とする毛梳かし具。
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
複数の櫛歯を含む毛梳かし具であって、
複数の外櫛歯と、
隣り合う前記外櫛歯の間に配され、前記外櫛歯の先端より内側に先端が位置する長さで形成された内櫛歯と、を備え、
本体櫛部は、同一材料で一体に形成されており、前記複数の外櫛歯と前記複数の外櫛歯の根元を連結する保持部を有し、
調整櫛部は、同一材料で一体に形成されており、前記内櫛歯と複数の前記内櫛歯の根元を連結する連結部を有し、
前記保持部は、前記内櫛歯を挿通させる櫛歯孔を備え、
前記外櫛歯および前記内櫛歯は、断面が梳かし方向に対して細長く、
前記調整櫛部の前記内櫛歯は、前記櫛歯孔を挿通して、前記外櫛歯の間に入り込み、
前記外櫛歯と前記内櫛歯が交互に配列され、
前記外櫛歯と前記内櫛歯とを組み合わせて構成される
ことを特徴とする毛梳かし具。
【請求項２】
請求項１に記載の毛梳かし具であって、
隣り合う前記外櫛歯の先端の間の距離は、前記内櫛歯の先端を挟んでいる部分の外櫛歯の間の距離より広い
ことを特徴とする毛梳かし具。
【請求項３】
請求項１又は２に記載の毛梳かし具であって、
前記外櫛歯及び前記内櫛歯は、両者の間隔が梳かし方向に対して徐々に狭まる形状を有している
ことを特徴とする毛梳かし具。
【請求項４】
請求項１〜３のいずれか一項に記載の毛梳かし具であって、
前記櫛歯の並び方向の両端に、大外枠を有し
前記外櫛歯は前記大外枠の先端より内側に先端が位置する
ことを特徴とする毛梳かし具。
【請求項５】
請求項１に記載の毛梳かし具であって、
前記調整櫛部は、前記本体櫛部から取り外し可能である
ことを特徴とする毛梳かし具。
【請求項６】
請求項５に記載の毛梳かし具であって、
前記外櫛歯に対する前記内櫛歯の取付け位置を変更し、前記外櫛歯の先端の位置と前記内櫛歯の先端との間の距離を調節する調節機構を備える
ことを特徴とする毛梳かし具。
【請求項７】
請求項６に記載の毛梳かし具であって、
前記本体櫛部と前記調整櫛部とを組み合わせた部材を、複数組み合わせてブラシを構成している
ことを特徴とする毛梳かし具。
【請求項８】
請求項１〜７のいずれか一項に記載の毛梳かし具であって、
前記内櫛歯は、当該内櫛歯の先端付近が複数に分岐した形状からなる小櫛歯を備える
ことを特徴とする毛梳かし具。
【請求項９】
請求項１〜８のいずれか一項に記載の毛梳かし具であって、
カーボンの粉、金属の粉、金属酸化物の粉、石の粉、またはガラス繊維を含む樹脂で形成されている
ことを特徴とする毛梳かし具。
【請求項１０】
請求項１〜９のいずれか一項に記載の毛梳かし具であって、
バレル加工、またはブラスト加工が施されている
ことを特徴とする毛梳かし具。